(57)【要約】【課題】ＬＥＤとスピーカーが組み込まれた複数の演出ポールを、間隔を置いて配置した空間演出装置において、その周辺に行き交う歩行者の動きに応じて、きめ細かに光と音響による空間演出を行うことができるような装置を提供することである。【解決手段】人体を検知するセンサーを設けて、該センサーからの信号によって、演出ポール毎に、当該各演出ポールに組み込まれたそれぞれのＬＥＤの点灯・消灯及びスピーカーの駆動・停止を制御するコントローラを有することを特徴とする。【選択図】  図２
2011151439.tif 000002
【特許請求の範囲】
【請求項１】
ＬＥＤとスピーカーが組み込まれた複数の演出ポールを、間隔を置いて配置した空間演出装置であって、
人体を検知するセンサーからの信号によって、演出ポール毎に、当該各演出ポールに組み込まれたそれぞれのＬＥＤの点灯・消灯及びスピーカーの駆動・停止を制御するコントローラを有することを特徴とする空間演出装置。
【請求項２】
前記ＬＥＤは、前記演出ポールの長手方向に沿って複数配置されていることを特徴とする請求項１に記載の空間演出装置。
【請求項３】
前記センサーは、各演出ポールにそれぞれ設置されており、人体を最初に検知したセンサーからの信号によって前記コントローラが作動することを特徴とする請求項１に記載の空間演出装置。
【請求項４】
前記コントローラは、前記複数の演出ポールのうち選択された演出ポールに設置されていることを特徴とする請求項１に記載の空間演出装置。
【請求項５】
前記演出ポールは、ＬＥＤの点灯・消灯パターンと、スピーカーの駆動・停止パターンが同期していることを特徴とする請求項１に記載の空間演出装置。
【発明の詳細な説明】
【技術分野】
【０００１】
この発明は、街路や公園、岸壁などの公共場所に設置した光と音響とで空間を演出する空間演出装置に関するものである。
【背景技術】
【０００２】
従来、街路や公園、岸壁などの公共場所において、その空間を演出する方法としては、街路灯を用いてその光を利用した空間演出方法がよく行われている。
また、商店街などでは、支柱や電柱にスピーカーを取り付け、歩行者にＢＧＭを流すなど、音響を利用した空間演出方法も行われている。
そして、光と音響の両方を活用して、空間を演出する方法として、例えば、街路灯の内部にスピーカーを組み込み、街路灯からの光と、スピーカーからの音によって、街路灯のそばを通る人に、潤いや安らぎなど、心地よい環境を与えるシステムが開発されている。
このような技術として、実用新案登録第３０９１３４１号（文献１）にその一例が記載されている。
【０００３】
図６に上記従来技術が示されており、該従来技術においては、歩道２０に沿って設けられた街路灯２１に２つのスピーカー２２、２３が組み込まれたものが開示されている。そして、その一方のスピーカー２２からの音響が歩道２０に沿って建てられている建築物２６からの反射音２４として、他方のスピーカー２３からの音響が直接音２５として、歩行者Ｍに聞こえることにより、音響に方向と広がりが感じられるステレオ効果をもたらそうとするものである。
【０００４】
しかしながら、上記従来技術では、街路灯に組み込まれたスピーカーからの音響は歩行者の動きとは無関係に発せられており、歩行者が当該街路灯の傍らを通過するときに、その動きを検知して音響を作動させるようにきめ細かに制御されてはおらず、歩行者の動きにマッチしてタイミングよく空間演出を行うことができなかった。
また、スピーカーを街路灯に組み込んだものであるから、街路灯は、その本来の機能から当然ながら点灯したままであって、音響とともに、点滅や調光などする光を付加したきめ細かな空間演出が期待できるようなものでもなかった。
【先行技術文献】
【特許文献】
【０００５】
【特許文献１】実用新案登録第３０９１３４１号公報
【発明の概要】
【発明が解決しようとする課題】
【０００６】
この発明が解決しようとする課題は、ＬＥＤとスピーカーが組み込まれた複数の演出ポールを、間隔を置いて配置してなる、街路などの公共場所での空間演出装置として、その周辺に行き交う歩行者の動きに応じて、きめ細かに光と音響による空間演出を行うことができるような装置を提供することである。
【課題を解決するための手段】
【０００７】
上記課題を解決するために、この発明に係る空間演出装置は、ＬＥＤとスピーカーが組み込まれた複数の演出ポールを、間隔を置いて配置し、人体を検知するセンサーからの信号によって、演出ポール毎に、当該各演出ポールに組み込まれたそれぞれのＬＥＤの点灯・消灯及びスピーカーの駆動・停止を制御するコントローラを有することを特徴とする。
【０００８】
また、前記ＬＥＤは、前記演出ポールの長手方向に沿って複数配置されていることを特徴とする。
また、前記センサーは、各演出ポールにそれぞれ設置されており、人体を最初に検知したセンサーからの信号によって前記コントローラが作動することを特徴とする。
また、前記コントローラは、前記複数の演出ポールのうち選択された演出ポールに設置されていることを特徴とする。
また、前記演出ポールは、ＬＥＤの点灯・消灯パターンと、スピーカーの駆動・停止パターンが同期していることを特徴とする。
【発明の効果】
【０００９】
ＬＥＤとスピーカーが組み込まれた複数の演出ポールを、間隔を置いて配置することにより、歩行者は各演出ポールの間から、樹木、建物、海などの景色が背景として認識できるものであり、背景も空間演出の１項目として取り入れることができる。
そして、人体の存在を検出して初めて演出ポール毎に組み込まれたＬＥＤとスピーカーの駆動を行うので、当該場所での歩行者の動きにマッチしたきめ細かで臨場感のある空間演出効果がなされる。
また、人体の動きを検出するコントローラによって演出ポール毎に光と音響とを駆動するので、同時的あるいは時間差を持たせた演出ができ、全体として広がりをもつ総合的な空間演出を可能とするものである。
【図面の簡単な説明】
【００１０】
【図１】本発明に係る空間演出装置の説明図。
【図２】本発明の空間演出装置に用いられる演出ポールの説明図。
【図３】本発明の空間演出装置の他の実施例の説明図。
【図４】図３の空間演出装置に用いられる演出ポールの説明図。
【図５】本発明の空間演出装置の制御図。
【図６】従来の空間演出装置の説明図。
【発明を実施するための形態】
【００１１】
図１は本発明に用いる演出ポールの構造を示す斜視図であり、（Ａ）は組み立て完成図、（Ｂ）は分解図である。
図において、演出ポールＰは、光源部２と音源部３とを有する。（Ｂ）で示すように、演出ポールＰの内部には、縦方向に配列された複数個のＬＥＤ４が配設され、下方にはスピーカー５が組み込まれている。
上記演出ポールＰは、前板１０、後板１１および両側板１２とからなり、これらによって形成される内部空間に前記ＬＥＤ４およびスピーカー５が収納されている。そして、前板１０には、光源部２に光透過窓１５および音響スクリーン１６が設けられている。
なお、１３は天板であり、１４は基台である。
【００１２】
図２に、上記構成の演出ポールＰを６本配置した例が示されていて、公共場所などにおいて、樹木Ｗを中心としてこれを取り囲むように、６本の演出ポールＰ１〜Ｐ６が配置されている。このような配置とすることにより、各演出ポールＰ１〜Ｐ６の間から樹木Ｗを背景として認識できる。
各演出ポールＰ１〜Ｐ６は、信号線７、７・・・によってコントローラ６に接続されている。なお、図２においては演出ポールＰ１、Ｐ２の信号線７のみを示したが、他の演出ポールＰ３〜Ｐ６も同様である。
【００１３】
そして、歩行者Ｍが往来する適宜箇所に人体を検知するセンサー８が配置され、該センサー８は、信号線７１によって前記コントローラ６に接続されている。
該センサー８は歩行者Ｍが近づいたことを検知すると、コントローラ６に信号を送り、該コントローラ６からは信号線７を経て各演出ポールＰ１〜Ｐ６に信号が送られ、当該ポールに組み込まれたＬＥＤの点灯・消灯およびスピーカー５の駆動・停止を制御するものである。
なお、ここでいう、ＬＥＤの点灯・消灯には、光量を調整する調光も含まれる。
【００１４】
次いで、具体的な空間演出の一例を述べると以下のようである。
公共場所などの適宜箇所に設置されたセンサー８の近辺に人がおらず、センサー８が人体を検知していないときは、全ての演出ポールＰ１〜Ｐ６のＬＥＤ４を点灯状態としていて、樹木Ｗを含めて動きのない静謐な空間演出を行っており、この場合、スピーカー５は停止していて音響を発しない。
歩行者Ｍが近寄りセンサー８が人体を検知すると、歩行者Ｍの存在を知らせる信号がコントローラ６に送られ、該コントローラ６からの信号で全ての演出ポールＰのＬＥＤ４が一斉に消灯する。
【００１５】
その後、演出ポールＰ１のみＬＥＤ４を点灯させ、同時に、スピーカー５を駆動して音響を発生する。
次いで、演出ポールＰ１のＬＥＤ４を点灯させた状態で、該演出ポールＰ１のスピーカー５を停止し、演出ポールＰ２のＬＥＤ４を点灯させ、同時に演出ポールＰ２のみのスピーカー５を駆動して音響を発生する。
次いで、演出ポールＰ１、Ｐ２のＬＥＤ４を点灯させた状態で演出ポールＰ２のスピーカー５を停止し、演出ポールＰ３のＬＥＤ４を点灯させ、同時に演出ポールＰ３のみのスピーカー５を駆動して音響を発生する。
以上の動作を演出ポールＰ６まで行い、該演出ポールＰ６のスピーカー５を一定時間駆動した後に、全ての演出ポールＰのスピーカー５を同時に駆動し、更に一定時間経過後に、点灯している全ての演出ポールＰのＬＥＤ４を消灯し、それと同時に、全ての演出ポールＰのスピーカー５を停止する。
【００１６】
このような演出は、歩行者Ｍがセンサー８に近づくと、各演出ポールＰ１〜Ｐ６が順番に点灯していき光に動きが付加されたごときに観察される。同時にスピーカー５からの音響も光の動きに連動して進行していくので、光と音響がかみ合った空間演出となる。
もちろん、上記の光と音響の駆動は一例であって、他に様々な演出ができることはいうまでもない。
【００１７】
図３は、本発明の空間演出装置に用いられる演出ポールＰの他の実施例であり、（Ａ）は完成図、（Ｂ）は分解図である。
同図の例では、人体を検知するセンサー８が各演出ポールＰ内に組み込まれていて、該演出ポールＰの前板１０には検知窓１７が設けられている。それ以外の構造については、図１のものと同様である。
【００１８】
この演出ポールＰを用いた配置例が図４に示されている。樹木Ｗを中心としてその周囲を取り囲むように、図３に示す演出ポールＰ１〜Ｐ６が配置され、各演出ポールＰのセンサー８からの信号線７１がコントローラ６に接続される。
この例では、いずれかの演出ポールＰに歩行者Ｍが近づくと、該演出ポールＰに組み込まれたセンサー８が人体を検知し、コントローラ６に信号を送る。そして、該コントローラ６からの信号によって、各演出ポールＰのＬＥＤやスピーカー５が作動されるものである。
【００１９】
この構造の演出ポールＰを用いた空間演出の一例を述べる。
まず、全ての演出ポールＰ１〜Ｐ６のセンサー８で人を検知していない場合、つまり、演出ポールＰの近くに人がいない場合は、全ての演出ポールＰのＬＥＤ４を点灯状態にしておき、中心の樹木Ｗを含めて動きのない空間演出を行っている。
歩行者Ｍが演出ポールＰ２に近づくと、該演出ポールＰ２のセンサー８から歩行者Ｍが演出ポールＰ２に近づいたことを知らせる信号が信号線７１を介して、コントローラ６に送られる。
【００２０】
そして、コントローラ６からの信号により、全ての演出ポールＰのＬＥＤ４を一斉に消灯する。
その後、演出ポールＰ２のみのＬＥＤ４を点灯させ、同時に演出ポールＰ２のみのスピーカー５を駆動させ音響を発生する。
その後、演出ポールＰ２のＬＥＤ４を点灯させた状態で該演出ポールＰ２のスピーカー５を停止し、演出ポールＰ３のＬＥＤ４を点灯させ、同時に該演出ポールＰ３のみのスピーカー５を駆動させ音響を発生する。
その後、演出ポールＰ２、Ｐ３のＬＥＤ４を点灯させた状態で演出ポールＰ３のスピーカー５を停止し、次の演出ポールＰ４のＬＥＤ４を点灯させ、同時に該演出ポールＰ４のみのスピーカー５を駆動させ音響を発生する。
以上の動作を順次演出ポールＰ１まで行い、該演出ポールＰ１のスピーカー５を一定時間駆動した後に、全ての演出ポールＰのスピーカー５を同時に駆動し、更に一定時間経過後に、点灯している全ての演出ポールＰのＬＥＤ４を消灯し、それと同時に、全ての演出ポールＰのスピーカー５を停止する。
【００２１】
この演出では、歩行者Ｍがいずれかの演出ポールＰに近づくと、一旦全ての演出ポールＰのＬＥＤ４が消灯し、その後に、その近づいた演出ポールＰが最初に点灯し、次いで隣接する演出ポールＰが順番に点灯していくので、歩行者Ｍの最も近くの演出ポールから光が発生していき、光に動きが付加されたごときに観察される。同時にスピーカー５からの音響も歩行者Ｍの最も近くから発生して、順次隣接する演出ポールに移動し、光の動きに連動して進行していくので、一層臨場感のある光と音響がかみ合った空間演出となる。
もちろん、この場合も、上記の光と音響の駆動は一例であって、他に様々な演出ができることはいうまでもない。
【００２２】
なお、上記図１〜図４に示された実施例においては、演出ポールＰの形状が角型筒状のものを示したが、円筒形筒状などの種々の形状であってよく、その設置数も６本に限られない。
また、演出ポールＰ自体に色彩などの装飾を施すものであってもよいし、光や音響は、演出ポールＰの全周から発せられる構造としてもよい。
更には、コントローラ６は演出ポールＰとは別に設置された例が示されているが、いずれかの演出ポールＰ内に組み込まれる構造としてもよい。
また、センサー８は、歩行者Ｍの動きを映像として認識するセンサーカメラであってもよい。この場合、歩行者Ｍの動くスピードや方向を認識することができ、コントローラ６でセンサーカメラの映像を解析し、各演出ポールＰに対して、歩行者Ｍの動くスピードや方向に協調する演出効果となるように信号を送るものである。
【００２３】
図５は、コントローラ６と各演出ポール間のＰの信号フローチャートである。
以下、図３および図４に示す実施例、すなわち、各演出ポールＰ内にセンサー８が配置されている構造であって、演出ポールＰ２に歩行者Ｍが近づいた場合を例にして説明する。
コントローラ６は、主制御部６１（ＵＤＭＲ）と音源部（オーディオレコーダ）６２と増幅部（オーディオアンプ）６３を有するものである。
各演出ポールＰには、センサー（モーションセンサー）８とＬＥＤ（ＬＥＤランプ基板）４とＬＥＤ点灯電源（ＬＥＤ ＰＷＭ電源）４０と、スピーカー５が組み込まれている。
歩行者Ｍが何れかの演出ポールＰに近づくと、その演出ポールＰのセンサー８が人体を検知し、コントローラ６の主制御部６１に信号を送る。この演出ポールＰの各センサー８からの信号は、一番初めに主制御部６１に信号を送った信号のみ有効であり、後続の信号は無視される。従って、上記の場合、演出ポールＰ２からの信号のみが有効になり、他の演出ポールＰからの信号は無視される。
【００２４】
次に、主制御部６１から、演出ポールＰ２のＬＥＤ点灯電源４０に信号を送り、演出ポールＰ２のＬＥＤ４を点灯させる。同時に、主制御部６１から、演出ポールＰ２に対応する音源部６２（オーディオレコーダ）に信号を送り、音源部６２から音の信号が増幅部６３（オーディオアンプ）で増幅され、演出ポールＰ２のスピーカー５に流れ、該スピーカー５から音響が発生される。
主制御部６１から、演出ポールＰ２のＬＥＤ点灯電源４０に送られた信号は、演出ポールＰ２のＬＥＤ点灯電源４０から出て、演出ポールＰ３のＬＥＤ点灯電源４０に流れ、演出ポールＰ４、Ｐ５、Ｐ６、Ｐ１のＬＥＤ点灯電源４０に順に送られる。
そして、主制御部６１から、演出ポールＰ２に対応する音源部６２に送られた信号は、演出ポールＰ２に対応する音源部６２から出て、次の隣接する演出ポールＰ３に対応する音源部６２に流れ、演出ポールＰ４、Ｐ５、Ｐ６、Ｐ１に対応する音源部６２に順に送られものである。
【００２５】
以上説明したように、本発明に係る空間演出装置では、内部にＬＥＤとスピーカーを組み込んだ演出ポールを複数配置し、歩行者を検知するセンサーを設けて、各演出ポールのＬＥＤおよびスピーカーに接続したので、歩行者の動きに連動した光と音響との空間演出ができて、きめ細かな臨場感のある演出効果がもたらされる。
また、複数の演出ポール間の背景をも取り込んだ演出となり、より自然感のある演出となる。
更には、人体の動きを検出するコントローラによって演出ポール毎に光と音響とを駆動するので、同時的あるいは時間差を持たせた演出ができ、全体として広がりをもつ総合的な空間演出を可能とするものである。
【符号の説明】
【００２６】
Ｐ        演出ポール
２        光源部
３        音源部
４        ＬＥＤ
５        スピーカー
６        コントローラ
７        信号線
７１      信号線
８        センサー
１０        前板
１１        後板
１２        側板
１３        天板
１４        基台
１５        光透過窓
１６        音響スクリーン
Ｍ        歩行者
Ｗ        樹木
【図１】
2011151439.tif 000003
【図２】
2011151439.tif 000004
【図３】
2011151439.tif 000005
【図４】
2011151439.tif 000006
【図５】
2011151439.tif 000007
【図６】
2011151439.tif 000008